(57)【要約】【課題】装置の運搬・設置作業の簡素化及び除染作業の効率性を向上し得る放射能除染装置を提供する。【解決手段】装置を作業別に高圧洗浄除染ユニット、吸引除染ユニット及び除染水処理ユニットに分割し、組み合わせて使用する。前記洗浄除染ユニットは発電機、洗浄水貯水ポンプ、給水ポンプ、高圧ポンプ及び洗浄除染用機器等を備え、除染対象物や部位等を高圧洗浄する。吸引除染ユニットは発電機、除染水回収容器、高圧吸引ブロア及びHEPAフィルター等を備え、洗浄による除染水を吸引回収する。除染水処理ユニットは凝集剤混合槽、沈殿分離槽、分離水受け槽及びフィルタープレス等を備え、回収容器から送給される除染水に凝集剤を混合して分離槽で水と放射性汚泥とに沈降分離して水は受け槽に導入し、この水は貯水タンクに還流して再使用し、分離槽内の放射性汚泥はフィルタープレスに供給してケーキとして回収する。【選択図】図２
2014025794.tif 000002
【特許請求の範囲】
【請求項１】
装置を作業別に分割してユニット化して構成した高圧洗浄除染ユニットと、吸引除染ユニットと、除染水処理ユニットとを備え、前記ユニットを組み合わせて使用する放射能除染装置であって、
前記高圧洗浄除染ユニットは、発電機と、洗浄水貯水タンクと、給水ポンプと、前記貯水タンク内の洗浄水を高圧送給する高圧ポンプ、及び前記高圧ポンプの水送給管路部に交換可能に接続して使用する洗浄除染水回収型高圧洗浄器，高圧洗浄ガン，湿式ブラスト洗浄器，管内洗浄器その他の湿式型の洗浄除染用機器とを備え、
前記吸引除染ユニットは、発電機と、移送ポンプ内蔵のレベルスイッチ付き密閉型の除染水回収容器と、前記回収容器内を吸引減圧し、除染水を吸引して前記回収容器内に回収させる高圧吸引ブロアと、前記回収容器と前記ブロアとの間に介装して設けたダストセパレーター及びHEPAフィルターと、除染水吸引回収用のホース，吸引ノズルを有する可撓性の吸引管その他の吸引用管部材と、エアーコンプレッサーとを備え、
前記除染水処理ユニットは、前記回収容器から送給される前記除染水を受け入れて凝集剤を混合するレベルスイッチ付き凝集剤混合槽と、凝集剤投入機と、前記混合槽内の凝集剤混合除染水を導入して前記混合除染水中の浮遊懸濁物質を凝集分離して沈降させ、分離水と放射性汚泥とに沈降分離処理する沈殿分離槽と、前記分離槽内の前記分離水を導入するレベルスイッチ付き分離水受け槽と、液体フィルターと、放射性物質吸着フィルターと、フィルタープレスとを備え、
前記分離水受け槽内の分離水は、前記液体フィルター及び前記放射性物質吸着フィルターを通過させて前記洗浄除染ユニットの前記洗浄水貯水タンクへ還流させ、又は系外へ放流し、前記沈殿分離槽内の前記放射性汚泥は、前記フィルタープレスへ送給して脱水処理してケーキとして回収するように構成されている
ことを特徴とする放射能除染装置。
【請求項２】
前記吸引除染ユニットは、前記エアーコンプレッサーの高圧エアー送給管路部に交換可能に接続して使用するエアーブラストガン，研磨ポリシャー，エアーガンその他の乾式型の除染機器と、前記除染水回収容器に代えてセットして使用される砂，ゴミ，ダクトその他の放射能汚染物質を吸引して回収する密閉型の汚染物質回収容器と、汚染物質回収用のホース，吸引ノズルを有する可撓性の吸引管その他の吸引用管部材とを備えていることを特徴とする請求項１に記載の放射能除染装置。
【請求項３】
請求項１に記載の放射能除染装置において、
前記除染水回収容器内の前記除染水を前記凝集剤混合槽へ送給する経路中に介装して設けられ、前記回収容器から送給される前記除染水を貯留するバッファー用のレベルスイッチ付きサブタンクと、前記サブタンク内に設置され、前記サブタンク内の前記除染水を前記凝集剤混合槽へ送給する移送ポンプとを備えていることを特徴とする放射能除染装置。
【発明の詳細な説明】
【技術分野】
【０００１】
本発明は放射能除染装置に関する。さらに詳しくは、放射能汚染された例えば道路，屋根，床，壁，側溝，雨樋，遊具，置物その他の各種の場所や部位、或いは物体等を除染する除染装置に関する。
【背景技術】
【０００２】
従来より、例えば、放射性物質で汚染された床面を洗浄して除染する床面除染装置（例えば、特許文献１等参照）。原子力発電プラントの炉水に接して放射能汚染した部品類や工具等をバブリングと高圧水を噴射して除染する除染装置（例えば、特許文献２等参照）。或いはウエットブラスト装置を用いて放射能汚染された路面の除染を行う道路用の除染装置（例えば、非特許文献１等参照）。その他の多種の除染装置が提案されている。
【０００３】
しかし、上記した先行除染装置は、いずれも特定の対象物専用に構成したもので、使用範囲が限定されていた。
【０００４】
また、近時においては、建物の内外、庭、校庭、公園、運動場、道路、側溝等の除染に使用する多種の除染装置の開発が試みられているが、以下のような点において改良を加えるべき問題が残されている。
（１）上述した先行除染装置と同様に特定の対象物の除染用に構成されているため、除染対象物の範囲が限定される。
（２）除染装置の個々の装置が別々に構成されているため、装置の運搬・配置・接続等の作業が煩雑で手間が掛る。
（３）除染水及び汚染物質の排出による二次汚染の問題が残されている。
【先行技術文献】
【特許文献】
【０００５】
【特許文献１】特開２００２−３１１１９２号公報
【特許文献２】特開２００２−３１１１９３号公報
【非特許文献１】マコー株式会社のホームページの紹介記事
【発明の概要】
【発明が解決しようとする課題】
【０００６】
本発明は上述したような問題を解消し、洗浄，清掃及び除去の複合集約対策装置を考察し、装置をユニット化することにより、運搬・設置作業の簡素化、除染作業の機能性の拡大、及び除染作業の効率性を向上し得る放射能除染装置を提供することを目的とするものである。
【課題を解決するための手段】
【０００７】
上記目的を達成するため、本発明のうち、１つの発明（第１の発明）は、装置を作業別に分割してユニット化して構成した高圧洗浄除染ユニットと、吸引除染ユニットと、除染水処理ユニットとを備え、前記ユニットを組み合わせて使用する放射能除染装置であって、
前記高圧洗浄除染ユニットは、発電機と、洗浄水貯水タンクと、給水ポンプと、前記貯水タンク内の洗浄水を高圧送給する高圧ポンプ、及び前記高圧ポンプの水送給管路部に交換可能に接続して使用する洗浄除染水回収型高圧洗浄器，高圧洗浄ガン，湿式ブラスト洗浄器，管内洗浄器その他の湿式型の洗浄除染用機器とを備え、
前記吸引除染ユニットは、発電機と、移送ポンプ内蔵のレベルスイッチ付き密閉型の除染水回収容器と、前記回収容器内を吸引減圧し、除染水を吸引して前記回収容器内に回収させる高圧吸引ブロアと、前記回収容器と前記ブロアとの間に介装して設けたダストセパレーター及びHEPAフィルターと、除染水吸引回収用のホース，吸引ノズルを有する可撓性の吸引管その他の吸引用管部材と、エアーコンプレッサーとを備え、
前記除染水処理ユニットは、前記回収容器から送給される前記除染水を受け入れて凝集剤を混合するレベルスイッチ付き凝集剤混合槽と、凝集剤投入機と、前記混合槽内の凝集剤混合除染水を導入して前記混合除染水中の浮遊懸濁物質を凝集分離して沈降させ、分離水と放射性汚泥とに沈降分離処理する沈殿分離槽と、前記分離槽内の前記分離水を導入するレベルスイッチ付き分離水受け槽と、液体フィルターと、放射性物質吸着フィルターと、フィルタープレスとを備え、
前記分離水受け槽内の分離水は、前記液体フィルター及び前記放射性物質吸着フィルターを通過させて前記洗浄除染ユニットの前記洗浄水貯水タンクへ還流させ、又は系外へ放流し、前記沈殿分離槽内の前記放射性汚泥は、前記フィルタープレスへ送給して脱水処理してケーキとして回収するように構成されていることを特徴とする。
【０００８】
本発明のうち、他の１つの発明（第２の発明）は、第１の発明の放射能除染装置において、前記吸引除染ユニットは、前記エアーコンプレッサーの高圧エアー送給管路部に交換可能に接続して使用するエアーブラストガン，研磨ポリシャー，エアーガンその他の乾式型の除染機器と、前記除染水回収容器に代えてセットして使用される砂，ゴミ，ダクトその他の放射能汚染物質を吸引して回収する密閉型の汚染物質回収容器と、汚染物質回収用のホース，吸引ノズルを有する可撓性の吸引管その他の吸引用管部材とを備えていることを特徴とする。
【０００９】
本発明のうち、さらに他の１つの発明（第３の発明）は、第１の発明の放射能除染装置において、前記除染水回収容器内の前記除染水を前記凝集剤混合槽へ送給する経路中に介装して設けられ、前記回収容器から送給される前記除染水を貯留するバッファー用のレベルスイッチ付きサブタンクと、前記サブタンク内に設置され、前記サブタンク内の前記除染水を前記凝集剤混合槽へ送給する移送ポンプとを備えていることを特徴とする。
【００１０】
本発明の放射能除染装置は、道路，屋根，床，壁，側溝，暗渠溝，雨樋，置物，遊具その他の各種の場所や部位或いは物体等の高圧洗浄除染作業、表面剥離除染作業、及び砂，ゴミ，ダストその他の放射能汚染物質の回収作業等に広範囲に適用可能である。
【発明の効果】
【００１１】
本発明によれば、次のような作用効果を奏する。
（１）除染装置は、装置を作業種別に集約し、高圧洗浄除染ユニット、吸引除染ユニット及び洗浄水処理ユニットに分割してユニット装置化して構成してあるので装置の運搬・配置・接続等の作業が容易になる。
（２）上記（１）により除染作業を効率よく行うことができる。
（３）発電機を備えているので、外部電源がない場所でも使用できると共に、照明用電源も確保できる。
（４）洗浄水貯水タンクを備えているので、洗浄水の供給不可能な場所でも除染作業が可能になる。
（５）給水ポンプを備えているので、水道水の給水不可能な場所でも河川や貯水池などの水を使用して作業することができる。
（６）除染対象物や部位等に応じて洗浄除染用機器を選択して採用できるので、除染作業を円滑かつ良好に行なうことができる。
（７）除染水処理ユニットの排水は貯水タンクに還流して再使用できるので、使用水量及び排水量を少なくすることができる。
（８）上記（７）により洗浄汚染排水による河川，湖沼，貯水池などの二次汚染を防止できる。なお、除染水は洗浄水処理ユニットで放射能物質が除去されるので、放流しても二次汚染の問題は生じない。
（９）ダストセパレーター及びHEPAフィルターにより汚染物質を除去して大気に排出するのを防止するので、汚染物質による二次汚染を防止できる。
（１０）第２の発明によれば、上記諸効果に加え、研磨ポリシャーなどにより、屋根，タイル目地、或いは塗装面等の研磨除染が可能になる。また、エアーブラストガンなどにより、挟部や高レベル汚染箇所の除染、或いは塗装面の剥離除染作業が可能になる。
さらにまた、砂，ゴミ，ダストその他の汚染物質を良好に回収することができる。
（１１）第３の発明によれば、上記諸効果に加え、次のような作用効果を奏する。
（ａ）除染水回収用器内の除染水を、負荷バランスを調整して安定して凝集剤混合槽へ供給することができる。即ち、回収容器からの送水は作業状況により変化が激しく除染水処理ユニットは、ある程度の定量性が必要とされるために負荷バランスの調整が必要になる。そのため、回収容器から除染水を凝集剤混合槽へ直接送給することなく、サブタンクへ送給して貯留し、サブタンクから混合槽へ送給するように構成してある。これにより、供給のバランスを調整して安定して除染水を混合槽へ円滑良好に送給することができる。
（ｂ）除染水回収容器からの送水は砂や小石なども含まれており、サブタンクにて沈降分離して除染水処理ユニットへの処理負荷を軽減する。
【図面の簡単な説明】
【００１２】
【図１】本発明の一実施形態の放射能除染装置を概略的に示すフローダイアグラムである。
【図２】前記除染装置の全体構成を概略的に示すフロー説明図である。
【図３】前記除染装置の高圧洗浄装置ユニットの部分を拡大して示す説明図である。
【図４】前記除染装置の吸引除染ユニットの部分を拡大して示す説明図である。
【図５】前記除染装置の除染水処理ユニットの部分を拡大して示す説明図である。
【図６】前記除染装置の高圧洗浄装置ユニットの構成を概略的に示す説明図である。
【図７】前記除染装置の吸引除染ユニットの構成を概略的に示す説明図である。
【図８】前記除染装置の除染水処理ユニットの構成を概略的に示す説明図である。
【図９】本発明の別実施形態の放射能除染装置の吸引除染ユニットの構成を概略的に示す説明図である。
【発明を実施するための形態】
【００１３】
以下、図面を参照して本発明の実施形態の一例について説明する。
【００１４】
図１ないし図８は本発明の一実施形態の放射能除染装置を示す。これら図１ないし図８に示すように、本実施形態（実施形態１）の放射能除染装置は、高圧洗浄除染ユニット１００と、吸引除染ユニット２００と、除染水処理ユニット３００とを備える。本発明の除染装置は、前記ユニットを組み合わせて使用される。
【００１５】
高圧洗浄除染ユニット１００は、作業用自動車（図示せず）の荷台に搭載可能な所望の大きさの略四角形の枠形状の機体１（図６参照）と、機体１に配置して設けた発電機１０と、洗浄水貯水タンク１１と、このタンク１１へ給水する給水ポンプ１２と、貯水タンク１１内の洗浄水を高圧送給する高圧ポンプ１３とを備える。
【００１６】
機体１は、例えば縦巾（前後巾）：約２〜約２．３ｍ、横巾（左右巾）：約１．８〜約２．０ｍ、高さ：約１．５〜約１．７ｍ程度の大きさに構成できる。但し、上記範囲に限定するものではない。貯水タンク１１は、例えば容量約1,500Ｌ〜約2,000Ｌ程度の大きさのものを採用できる（但し、上記範囲に限定するものではない）。また、前記高圧ポンプ１３は、例えば、１５〜２０Ｍｐａ×２４〜２６Ｌ／Ｍ程度のものを採用できる（但し、上記範囲に限定するものではない）。
【００１７】
貯水タンク１１への給水は、水道水の場合には直接、或いは給水ポンプ１２により、洗浄水運搬タンク１４内の水，河川水，湖沼水、或いは貯水池などの外部水を給水１４ａ（外部給水）する。本実施形態の貯水タンク１１はレベルスイッチＳ１を有している。
【００１８】
貯水タンク１１の上端部と高圧ポンプ１３との間には圧力調整弁Ｖが介装して設けてある。また、貯水タンク１１の水出口と高圧ポンプ１３との間には液体フィルタＦ１が介装して設けてある。
【００１９】
前記洗浄除染ユニット１００は、高圧ポンプ１３の水送給管路部に交換可能に接続して使用する洗浄除染水回収型の高圧旋回洗浄機１５ａ，高圧洗浄ガン１５ｂ，管内洗浄ガン１５ｃ，湿式ブラスト洗浄器１５ｄ（ウエットブラスト）、その他の湿式型の洗浄除染用機器１５を備える。本実施形態では、高圧ポンプ１３と接続して設けた洗浄水ヘッダー１６を備え、前記ヘッダー１６に洗浄除染用機器１５を選択して交換可能に接続して使用するように構成してある。
【００２０】
洗浄除染用機器１５は、除染対象物や部位等に応じて選択して使用される。上記構成により、高圧ポンプ１３を稼動して任意の所定の除染用機器１５（１５ａ…１５ｄ）で洗浄することにより、道路，床，屋根，壁，側溝，暗渠溝，雨樋，置物その他の除染対象物や部位等を良好に高圧洗浄して除染することができる。洗浄により発生した除染水は，吸引ノズルを有する吸引管その他の吸引管で吸引除染ユニット２００の後述する除染水回収容器内に吸引して回収する。なお、前記除染水回収型の高圧旋回洗浄機１５ａは、専用の吸引管１７で除染水を吸引して前記回収用器内に回収する。なお、図２、図３において、１８は給水管を示す。
【００２１】
吸引除染ユニット２００は、作業用自動車（図示せず）の荷台に搭載可能な所望の大きさの略四角形の枠形状の機体２（図７参照）と、機体２に配置して設けた発電機２０と、レベルスイッチＳ２を有する密閉型の除染水回収容器２１と、回収容器２１内を吸引減圧し、除染水を吸引して回収容器２１内に回収させる高圧吸引ブロア２２と、エアーコンプレッサー２３とを備える。
【００２２】
機体２は、例えば縦巾（前後巾）：約２〜約２．３ｍ、横巾（左右巾）：約１．６〜約２．０ｍ、高さ：約１．５〜約１．７ｍ程度の大きさに構成できる。但し、上記範囲に限定するものではない。
【００２３】
前記回収容器２１は、内部に収容して配置し、容器２１内の除染水を送給する移送ポンプ２４と、容器２１の密閉蓋２１ａを開閉操作する蓋開閉装置２５（図７参照）と、略Ｕ字形に形成し、一端部を密閉蓋２１ａを貫通して容器２１内に挿入して設けた吸引導入管２６とを備える。
【００２４】
前記回収容器２１と前記ブロア２２との間には、ダストセパレーター２７及びHEPAフィルター２８が介装して設けてある。ダクトセパレーター２７の下方部にはダストポット２９が配置されている。
【００２５】
本実施形態の除染ユニット２００は、一端を前記吸引導入管２６に接続して使用し、前記洗浄により発生した除染水を吸引して前記容器２１内に回収する除染水吸引回収用のホース，吸引ノズルを有する可撓性の吸引管その他の吸引用管部材３０を備えている。
【００２６】
上記構成により、吸引ブロア２２を稼動して吸引管その他の吸引用管部材３０の先端を除染水に臨ませることにより、除染水を連続的に吸引して回収容器２１に導入して気液分離して回収する。また、汚染物質はダストセパレーター及びHEPAフィルターにより除去され、大気中に排出するのを防止する。したがって、汚染物質による二次汚染を防止できる。
【００２７】
前記回収容器２１内に回収された除染水は除染水処理ユニットへ送給され、後述するように除染水中の放射性物質が除去処理される。
【００２８】
また、本実施形態の除染装置は除染ユニット２００の除染水回収容器２１内の除染水を除染水処理ユニット３００の後述する凝集剤混合槽へ送給する経路中に介装して設けられ、回収容器２１から送給される除染水を貯留するレベルスイッチＳ３を有するバッファー用のサブタンク３１を備えている。
【００２９】
サブタンク３１は、内部に収容して配置し、タンク３１内の除染水を送給する移送ポンプ３２を備える。これにより、回収容器２１から送給される除染水はサブタンク３１内に導入して貯留され、サブタンク３１から除染水処理ユニットへ送給される。したがって、除染水を、供給のバランスを調整して安定して除染水処理ユニットの前記混合槽へ円滑良好に送給することができる。また、回収容器２１からの送水には砂や小石なども含まれているが、サブタンク３１に沈降分離して除染水処理ユニットへの処理負荷を軽減できる。タンク３１内の沈降固形物（砂や小石などの汚染物質）は、作業終了後に除去する。
【００３０】
さらにまた、本実施形態の除染装置は、除染ユニット２００の機体２に配置して設けた第１のポンプＰ１（凝集剤混合除染水移送ポンプ）、第２のポンプＰ２（沈降分離汚泥移送ポンプ）、及び第３のポンプＰ３（分離水移送ポンプ）を備える。第１〜第３のポンプＰ１，Ｐ２，Ｐ３は、例えばダイアフラムポンプその他の型式のポンプを採用できる（本実施形態ではダイアフラムポンプを採用）。第１〜第３のポンプの作用等については追って説明する。
【００３１】
除染水処理ユニット３００は、作業用自動車（図示せず）の荷台に搭載可能な所望の大きさの略四角形の枠形状の機体３（図８参照）を備える。機体３は、例えば縦巾（前後巾）：約１．７〜約２．０ｍ、横巾（左右巾）：約１．７〜約２．０ｍ、高さ：約１．５〜約１．７ｍ程度に構成できる。但し、上記範囲に限定するものではない。
【００３２】
前記処理ユニット３００は、機体３に配置して設けた凝集剤混合槽４０と、混合槽４０へ凝集剤（凝集沈殿剤）を投入する凝集剤投入機４１と、沈殿分離槽４２と、分離水受け槽４３と、フィルタープレス４４と、液体フィルター４５，４６と、放射性物質（セシウム等）吸着フィルター４７とを備える。前記フィルター４５としては、例えば約３μフィルターを、また、前記フィルター４６としては、例えば約０．５μフィルターを採用できる。但し、上記に限定するものではない。
【００３３】
凝集剤混合槽４０はレベルスイッチＳ４及び撹拌機４８を備える。前記分離槽４２及び分離水受け槽４３はレベルスイッチＳ５，Ｓ６を備える。また、前記吸着フィルター４７の経路の下流には液体放射線量測定器４９を備える。
【００３４】
前記サブタンク３１から送給される除染水は凝集剤混合槽４０内へ導入され、投入機４１より所定量の凝集剤が投入され、撹拌機４８で撹拌混合される。混合槽４０内の凝集剤混合除染水は管路Ｌ１を介して第１のポンプＰ１により送給され、沈殿分離槽４２内に導入され、前記混合除染水中の浮遊懸濁分室を凝集分離して沈降分離する。
【００３５】
上記工程において、除染水中の放射性物質、例えば特に放射性セシウムは除染水中の粘土性物質に強固に付着して浮遊しており、これらの懸濁浮遊物質は凝集剤で凝集して水と沈降分離汚泥（放射性汚泥）とに沈降分離される。
【００３６】
上記のように分離槽４２内に導入された凝集剤混合除染水は、分離槽４２内で水と放射性汚泥とに沈降分離され、分離槽４２内の分離水は前記槽４２の上部側から管路Ｌ２を介して分離水受け槽４３内に導入されて貯留される。
【００３７】
前記受け槽４３内に貯留した分離水は、管路Ｌ３を介して第３のポンプＰ３により送給され、液体フィルター４５，４６及び放射性物質（セシウム等）吸着フィルター４７を通過させ、循環管路Ｌ４を介して洗浄水除染ユニット１００の前記洗浄水貯水タンク１１へ還流させ、再使用する。または、線量測定器４９で線量を測定し、線量が規定値内の時は放流してもよい。
【００３８】
一方、前記沈殿分離槽４２内で沈降分離した沈降分離汚泥（放射性汚泥）は、分離槽４２の底部から管路Ｌ５を介して第２のポンプＰ２により移送してフィルタープレス４４へ送給して脱水処理してケーキとして回収する。フィルタープレス４４の透過水は、管路Ｌ６を介して分離水受け槽４３へ送給して導入する。
【００３９】
上記のように、除染水は除染水処理ユニット３００において水と放射性汚泥とに沈降分離して分離した水はクローズドシステムで貯水タンクへ還流させて再使用または所望に応じて放流し、放射性汚泥はケーキとして回収する。したがって、除染水処理ユニットの排水は基本的にクローズドシステムで貯水タンク内の初期水と補充水で洗浄除染作業を実施できるので、使用水量及び排水量を少なくすることができる。また、洗浄汚染排水による河川、沼、貯水池などの二次汚染を防止できる。
【００４０】
なお、所望に応じ、例えばフィルタープレス４４の脱水作業の終了段階時等に、エアーコンプレッサー２３の圧縮空気（高圧エアー）を管路Ｌ７を介してフィルタープレス４４に送給するように構成してもよい。また、所望に応じ、所望時点において、エアーコンプレッサー２３の圧縮空気（高圧エアー）を管路Ｌ８，Ｌ９，Ｌ１０を介して第１〜第３のポンプＰ１，Ｐ２，Ｐ３に送給するように構成してもよい。
【００４１】
図９は本発明の別実施形態（実施形態２）の放射能除染装置の吸引除染ユニットを示す。なお、実施形態２において、実施形態１で既に説明した構成と共通する構成等には同一符号を付して説明を省略する。
【００４２】
実施形態２の吸引除染ユニット２００は、前記エアーコンプレッサー２３の高圧エアー供給管路部５０に交換可能に接続して使用するエアーブラストガン５１ａ，研磨ポリシャー５１ｂ，エアーガン（図示せず）その他の乾式型の除染機器５１を備える。
【００４３】
また、実施形態２は、前記除染回収容器２１に代えてセットして使用される砂，ゴミ，ダクトその他の汚染物質を吸引して回収する密閉型の汚染物質回収容器５２と、汚染物質回収用ホース，吸引ノズルを有する可撓性の吸引管その他の吸引用管部材５３とを備える。吸引用管部材５３は、一端を前記吸引導入管２６に接続して使用される。前記除染機器５１は除染対象物や部位等に応じて選択して使用される。他の構成は実施形態１と同様である。
【００４４】
実施形態２は上記構成により、エアーコンプレッサー２３を稼動して、例えば研磨ポリシャー５１ｂなどにより、屋根，タイル目地、或いは塗装面等の研磨除染作業を実施できる。また、エアーブラストガン５１ａなどにより、挟部や高レベル汚染箇所の除染、或いは塗装面の剥離除染作業を良好に実施できる。
一方、できる。
【００４５】
前記除染作業により発生したダストその他の汚染物質は吸引用管部材５３で吸引して回収容器５２内に回収する。実施形態２の回収容器はダスト掃除機として使用できる。また、実施形態１と同様に汚染物質はダストセパレーター２７及びHEPAフィルター２８により除去され、大気中に排出するのを防止する。したがって、汚染物質による二次汚染を防止する。
なお、回収容器５２内にプラスチック製その他の袋やフレキシブル・コンテナバッグ５４（通称フレコンバッグ）を取付ける構成を採用すると、ダストやゴミ等を袋等に回収できる。
【００４６】
なお、上記した各実施形態は一例として開示したもので、本発明は上記の実施形態に限定されるものではなく、特許請求の範囲に記載の技術思想を越脱しない範囲において任意に変更可能なものである。
【符号の説明】
【００４７】
１０    発電機
１１    洗浄水貯水タンク
１２    給水ポンプ
１３    高圧ポンプ
１５    洗浄除染用機器
２０    発電機
２１    除染水回収容器
２２    高圧吸引ブロア
２３    エアーコンプレッサー
２７    ダストセパレター
２８    HEPAフィルター
３０    吸引用管部材
３１    バッファ用のサブタンク
４０    凝集剤混合槽
４１    凝集剤投入機
４２    沈殿分離槽
４３    分離水受け槽
４４    フィルタープレス
４５    液体フィルター
４６    液体フィルター
４７    放射性物質吸着フィルター
１００  高圧洗浄除染ユニット
２００  吸引除染ユニット
３００  除染水処理ユニット
【図１】
2014025794.tif 000003
【図２】
2014025794.tif 000004
【図３】
2014025794.tif 000005
【図４】
2014025794.tif 000006
【図５】
2014025794.tif 000007
【図６】
2014025794.tif 000008
【図７】
2014025794.tif 000009
【図８】
2014025794.tif 000010
【図９】
2014025794.tif 000011